(57)【要約】【課題】店舗に設置される冷蔵冷凍ショーケースや空調機に冷媒を供給する冷凍機の設置スペースの縮小と配管距離の短縮を図る。【解決手段】冷媒ガスを圧縮する圧縮機１１と、圧縮機１１により高温高圧にされた冷媒ガスを冷却液化させる凝縮器１２とを備え、凝縮器１２で液化した液冷媒を店舗建屋１内に設置された冷蔵冷凍ショーケース２などの機器に供給する店舗用冷凍機において、凝縮器１２を店舗建屋１の壁１４に組み込む。これにより、凝縮器１２の別途の設置スペースが不要になるとともに、建屋１の壁１４は屋外に面していることから凝縮廃熱の処理も容易になる。また、冷蔵冷凍ショーケース２は通常、壁１４に沿って配列されるので、凝縮器１２と冷蔵冷凍ショーケース２の蒸発器８との間の冷媒配管４の長さが短縮される。【選択図】      図１
2005164107.tif 000002
【特許請求の範囲】
【請求項１】
冷媒ガスを圧縮する圧縮機と、この圧縮機により高温高圧にされた冷媒ガスを冷却液化させる凝縮器とを備え、この凝縮器で液化した液冷媒を店舗建屋内に設置された機器に供給する店舗用冷凍機において、
前記凝縮器を前記店舗建屋の壁に組み込んだことを特徴とする店舗用冷凍機。
【請求項２】
前記凝縮器を組み込んだ壁の近くに前記圧縮機を設置したことを特徴とする請求項１記載の店舗用冷凍機。
【請求項３】
前記壁の内部にダクトを形成し、このダクトに前記凝縮器と冷却ファンとを収容するとともに、この冷却ファンにより前記ダクトを通して前記凝縮器に外気を通風するようにしたことを特徴とする請求項２記載の店舗用冷凍機。
【請求項４】
前記圧縮機、凝縮器及び冷却ファンを一体的にユニット化して冷凍機を構成し、この冷凍機を前記壁に嵌め込むようにしたことを特徴とする請求項３記載の店舗用冷凍機。
【請求項５】
前記壁の外装パネルに放熱チューブを這わせて前記凝縮器を構成し、前記外装パネルからの自然放熱により冷媒ガスを冷却液化させるようにしたことを特徴とする請求項１記載の店舗用冷凍機。
【請求項６】
前記外装パネルと、この外装パネルに前記放熱チューブを挟んで対向させた内装パネルとの間に断熱材を注入して定尺の壁パネルを構成し、この壁パネルを複数枚連結して前記壁を形成するようにしたことを特徴とする請求項５記載の店舗用冷凍機。
【発明の詳細な説明】
【技術分野】
【０００１】
この発明は、スーパーやコンビニエンスストアなどの店舗において、冷蔵冷凍ショーケースや空調機などの機器に冷媒を供給する冷凍機に関する。
【背景技術】
【０００２】
上記した冷凍機は一般に冷媒ガスを圧縮する圧縮機と、この圧縮機により高温高圧にされた冷媒ガスを冷却液化させる凝縮器とを備え、この凝縮器で液化した液冷媒を店舗建屋内に設置された複数台の冷蔵冷凍ショーケースや空調機に供給している。この種の冷凍機については、例えば特許文献１に記載されているが、図７にその従来構成の一例を示す。図７において、店舗建屋１内に冷蔵冷凍ショーケース（図示例は多段式のオープンショーケース、以下、単に「ショーケース」という。）２が設置され、屋外に冷凍機（室外機）３が設置されており、ショーケース２と冷凍機３とは冷媒配管４により結ばれている。なお、図７ではショーケース２は１台のみが示されているが、冷凍機３は複数台のショーケースや図示しない空調機（室内機）にも冷媒を供給することが可能である。
【０００３】
ショーケース２は、断熱壁からなるケース本体内に商品陳列室５が設けられ、その外側に内外二重の通風路６及び７が形成されている。内側通風路６には蒸発器８が設けられ、ケース本体下部には通風路６，７に共通に送風ファン９が設けられている。商品陳列室５には、図示しない商品を陳列する商品棚１０が多段に設けられている。送風ファン９の運転により、庫内空気は白抜き矢印で示すように循環し、商品陳列室５の前面開口にエアカーテンを形成する。一方、冷凍機３は圧縮機１１、その上方にＶ字形に配置された凝縮器１２、冷却ファン１３等からなり、冷却ファン１３の運転により、外気が黒塗り矢印で示すように凝縮器１２を通して吸排気される。
【０００４】
図７において、圧縮機１１で高温高圧に圧縮された冷媒ガスは、凝縮器１２で外気との熱交換により冷却されて凝縮液化する。この液冷媒は冷媒配管４により蒸発器８に送られ、循環する庫内空気との熱交換により蒸発する。これにより、蒸発器８を通流する庫内空気が冷却され、この庫内空気に接触する商品陳列室５の商品が冷却される。蒸発器８で蒸発した冷媒ガスは再び圧縮機１１で圧縮される。図示しない空調機についても、冷凍機３から液冷媒が同様に蒸発器に供給され、蒸発器を通して循環する室内空気との熱交換により蒸発して店舗建屋内を冷房する。
【０００５】
【特許文献１】特開２０００−２４０９８０号公報
【発明の開示】
【発明が解決しようとする課題】
【０００６】
図７に示したような従来の冷凍機は室外機として店舗建屋１の屋外に別置される。そのため、冷凍機の専用スペースが必要になるとともに、建屋内の機器（ショーケースや空調機）との間の配管が長くその断熱被覆などの構造が複雑になる。なお、冷凍機を本体内に設置した冷凍機内蔵型のショーケースも従来から用いられているが、この冷凍機内蔵型ショーケースは小型のショーケースに限られ、１台の冷凍機から複数の機器に冷媒を供給するような大型の冷凍機は内蔵に適さない。また、冷凍機内蔵型の機器は凝縮器の廃熱が室内に排出されるため、夏季においては空調機による冷房を阻害するという問題がある。
【０００７】
この発明の課題は、店舗に設置される冷凍機の設置スペースの縮小や配管距離の短縮を図ることにある。
【課題を解決するための手段】
【０００８】
上記課題を解決するために、この発明は、冷媒ガスを圧縮する圧縮機と、この圧縮機により高温高圧にされた冷媒ガスを冷却液化させる凝縮器とを備え、この凝縮器で液化した液冷媒を店舗建屋内に設置された機器に供給する店舗用冷凍機において、前記凝縮器を前記店舗建屋の壁に組み込むものとする（請求項１）。
【０００９】
従来、店舗用の機器は建屋の内外に設置されており、建屋構造材の内部空間は利用されていない。そこで、請求項１の発明は、冷凍機の凝縮器（熱交換器）は大面積・薄型化に適しており、10〜20ｃｍ程度の厚さ空間でも収納可能であることに着目し、冷凍機の凝縮器を店舗建屋の壁に組み込むことにするものである。これにより、屋外に凝縮器の別途の設置スペースが不要になるとともに、建屋の壁は屋外に面していることから凝縮廃熱の処理も容易になる。また、ショーケースは通常、壁に沿って配列されることから、ショーケースの背後の壁に凝縮器を組み込むことにより、凝縮器とショーケースの蒸発器との間の冷媒配管を短縮することができる。
【００１０】
請求項１の発明において、前記圧縮機は前記凝縮器を組み込んだ壁の近くに設置するのがよい（請求項２）。これにより、圧縮機と凝縮器及びショーケースの蒸発器との間の冷媒配管を短縮することができる。
【００１１】
請求項２の発明において、前記壁の内部にダクトを形成し、このダクトに前記凝縮器と冷却ファンとを収容するとともに、この冷却ファンにより前記ダクトを通して前記凝縮器に外気を通風するようにするとよい（請求項３）。これにより、壁の内部空間を利用して、冷却風を凝縮器に容易に通風することができる。
【００１２】
請求項３の発明において、前記凝縮器、圧縮機及び冷却ファンを一体的にユニット化して冷凍機を構成し、この冷凍機を前記壁に嵌め込むようにするとよい（請求項４）。これにより、冷凍機の設置作業が簡単になる。
【００１３】
一方、請求項１の発明において、前記壁の外装パネルに放熱チューブを這わせて前記凝縮器を構成し、前記外装パネルからの自然放熱により冷媒ガスを冷却液化するようにすることができる（請求項５）。この請求項５の発明は壁面全体を放熱面として利用するもので、これにより冷却ファンによる通風が不要になる。
【００１４】
請求項５の発明において、前記外装パネルと、この外装パネルに前記放熱チューブを挟んで対向させた内装パネルとの間に断熱材を注入して定尺の壁パネルを構成し、この壁パネルを複数連結して前記壁を形成するようにするとよい（請求項６）。これにより、工場生産した壁パネルを現地で連結するだけで、建屋の壁の立上げと凝縮器の組込みとを同時に行うことができ、また壁パネルの枚数により凝縮器の容量を加減することができる。
【発明の効果】
【００１５】
この発明によれば、凝縮器を店舗建屋の壁に組み込むことにより、従来の未利用空間を利用して冷凍機の設置スペースの縮小を図ることができるとともに、凝縮器を店舗建屋内の機器に接近させ、冷媒配管の短縮や断熱被覆の簡素化を図ることができる。また、広大な壁空間を利用することにより、複数の機器に同時に冷媒を供給する大型の冷凍機も容易に構成可能である。
【発明を実施するための最良の形態】
【００１６】
以下、図１〜図６に基づいて、この発明の実施の形態を説明する。なお、従来例と対応する部分には同一の符号を用いるものとする。
【実施例１】
【００１７】
図１は、この発明の実施例１を示す店舗建屋の縦断面図、図２は図１における冷凍機の一部を破断して示した斜視図である。図１において、冷凍機３の凝縮器１２は店舗建屋１の壁１４に組み込まれ、ショーケース２は背面が壁１４に近接するように設置されている。冷凍機３の圧縮機１１は凝縮器１２の下方の壁１４の近くに設置され、冷却ファン１３は凝縮器１２の下方において壁１４の内部に設置されている。ここで、図２に示すように、冷凍機３は圧縮機１１、凝縮器１２及び冷却ファン１３が一体的にユニット化されて構成されている。
【００１８】
すなわち、図２において、ベース１５の前端部にＬ字形に立ち上げられた支持板１６に、２個の冷却ファン１３が外部に臨むように取り付けられ、支持板１６の上端部にプレートフィン・チューブ型の凝縮器１２が取り付け支持されている。圧縮機１１はベース１５上に据え付けられ、図１に示すように、支持板１６の上端部には圧縮機１１に向かって斜め下に張り出す風向板１７が片持ち支持されている。
【００１９】
図１において、壁１４は外装パネル１４ａと内装パネル１４ｂとからなり、凝縮器１２が組み込まれる部分には、外装パネル１４ａと内装パネル１４ｂとの間にダクト１８が形成され、かつ内装パネル１４ｂには冷凍機３が嵌め込まれる部分に、冷凍機３の輪郭に合わせて切欠１９が設けられている。また、外装パネル１４ａには冷却ファン１３に合わせて吸気穴２０があけられ、ダクト１８の上部に排気穴２１があけられている。
【００２０】
図１に示すように、冷凍機３は切欠１９を通して壁１４に室内側から嵌め込まれ、外装パネル１４ａに押し当てられる。次いで、ショーケース２がその背面が冷凍機３に接するように設置される。これにより、凝縮器１２の室内側の面はショーケース２のケース本体２２で塞がれ、また凝縮器１２の下部空間は、冷凍機３に合わせて斜めに形成されたケース本体２２の角面及びショーケース２のベース２３で塞がれる。次いで、冷凍機３とショーケース２の蒸発器８とが冷媒配管４により接続される。
【００２１】
図１において、ショーケース２の構成は図７の従来例と実質的に同じであり、圧縮機１１の運転により凝縮器１２から供給された液冷媒を蒸発器８で蒸発させて庫内商品を冷却する。ここで、冷却ファン１３の運転により吸引された外気は、黒塗り矢印で示すように、風向板１７に導かれて圧縮機１１を冷却した後、凝縮器１２を通流し、ダクト１８を経て排気穴２１から外部に排出される。
【００２２】
上記した実施例１によれば、凝縮器１２を店舗建屋１の壁１４に組み込むことにより、冷凍機３の設置スペースが縮小する。その場合、建屋１の壁１４は屋外に面しているので、凝縮器１２の冷却風の排気も容易である。また、ショーケース２は通常、図示のように壁１４に沿って配列されるので、凝縮器１２とショーケース２の蒸発器８とが接近し、その間の冷媒配管が短縮される。更にまた、圧縮機１１を凝縮器１２を組み込んだ壁１４の近くに設置することにより、圧縮機１１と凝縮器１２及びショーケース２の蒸発器８とが接近し、その間の冷媒配管が短縮される。
【００２３】
また、実施例１において、壁１４の内部にダクト１８を形成し、このダクト１８に凝縮器１２と冷却ファン１３とを収容し、冷却ファン１３によりダクト１８を通して凝縮器１２に外気を通風することにより、壁１４の内部空間を利用して冷却風を凝縮器１２に容易に通風することができる。
【実施例２】
【００２４】
次に、図３はこの発明の実施例２を示す店舗建屋の縦断面図、図４は図３における建屋の壁の一部分を破断して示した斜視図、図５は図４における壁パネルの斜視図、図６は同じく壁パネルの縦断面図である。実施例２は、壁の外装パネルに冷媒配管を這わせて凝縮器を構成し、外装パネルからの自然放熱により冷媒ガスを冷却液化するようにするようにしたものである。すなわち、図３〜図６において、店舗建屋１の壁１４は、定尺の壁パネル２４が複数枚連結されて構成され、各壁パネル２４の外装パネル２５に放熱チューブ２６が蛇行するように這わされている。圧縮機１１は、壁パネル２４の下部の凹所内に設置されている。
【００２５】
ここで、図５及び図６において、壁パネル２４は、外装パネル２５と、この外装パネル２５に放熱チューブ２６を挟んで対向する内装パネル２７と、その間に注入された断熱材２８とからなっている。外装パネル２５は熱伝導性のよい金属板、例えばカラー鋼板からなり、銅パイプからなる放熱チューブ２６は外装パネル２５の内側面に、粘着テープ２９（図６）により固定されている。放熱チューブ２６は、接着剤で外装パネル２５に接着してもよい。内装パネル２７には、合板などの一般の建材が使用される。断熱材２８は、例えば発泡ウレタンからなり、放熱チューブ２６の取り付け後に、外装パネル２５と内装パネル２７との間に注入されて発泡固化する。
【００２６】
図４において、隣接する壁パネル２４の放熱チューブ２６同士は接続パイプ３０を介して連結され、圧縮機１１と図示しないショーケースの蒸発器とは冷媒配管４（図３）により接続される。図４では、凝縮器１２は４枚の壁パネル２４により構成されているが、壁パネル２４の枚数を増減することにより、凝縮器１２の容量を調節することができる。
【００２７】
図３において、凝縮器１２に送られた圧縮機１１からの高温高圧の冷媒ガスは、外装パネル２５を放熱面として大気に放熱して凝縮する。この実施例２によれば、凝縮器２は自然放熱により放熱するため、冷却ファンや通風ダクトが不要になる。また、実施例２に示すように、定尺の壁パネル２４を連結して壁１４を形成することにより、工場生産した壁パネル２４を現地で連結するだけで、建屋の壁１４の立上げと凝縮器１２の組込みとを同時に行うことができ、現地での施工作業が簡単になる。
【図面の簡単な説明】
【００２８】
【図１】この発明の実施例１を示す店舗建屋及び冷凍機の縦断面図である。
【図２】図１における冷凍機の斜視図である。
【図３】この発明の実施例２を示す店舗建屋及び冷凍機の縦断面図である。
【図４】図３における店舗の壁の斜視図である。
【図５】図４における壁パネルを示す斜視図である。
【図６】図５の壁パネルの縦断面図である。
【図７】従来例を示す店舗建屋及び冷凍機の縦断面図である。
【符号の説明】
【００２９】
１    店舗建屋
２    冷蔵冷凍ショーケース
３    冷凍機
４    冷媒配管
８    蒸発器
１１    圧縮機
１２    凝縮器
１３    冷却ファン
１４    壁
２４    壁パネル
２５    外装パネル
２６    放熱チューブ
２７    内装パネル
２８    断熱材
【図１】
2005164107.tif 000003
【図２】
2005164107.tif 000004
【図３】
2005164107.tif 000005
【図４】
2005164107.tif 000006
【図５】
2005164107.tif 000007
【図６】
2005164107.tif 000008
【図７】
2005164107.tif 000009